(57)【要約】      （修正有）【課題】視聴する番組を決定する際の選局操作において、視聴者の手間を軽減することができるテレビジョン受像機を提供する。【解決手段】テレビジョン受像機は、ディスプレイにおいて複数の画面が表示されているときに、選局操作が行われた場合、複数の画面において選局されている複数のチャンネルの各々を、選局操作に応じて他のチャンネルに切り替える選局制御部３２０を備え、１回の選局操作により、複数の画面の各々のチャンネルを切り替えることができる。【選択図】図３
2013115767.tif 000002
【特許請求の範囲】
【請求項１】
表示手段において複数の画面が表示されているときに、選局操作が行われた場合、前記複数の画面において選局されている複数のチャンネルの各々を、前記選局操作に応じて他のチャンネルに切り替える選局制御手段
を備えることを特徴とする表示制御装置。
【請求項２】
前記選局制御手段は、前記選局操作に応じて、
第１の画面において選局されている第１のチャンネルを、第３のチャンネルに切り替え、第２の画面において選局されている第２のチャンネルを、第４のチャンネルに切り替える
ことを特徴とする請求項１に記載の表示制御装置。
【請求項３】
前記選局制御手段は、前記選局操作に応じて、
第１の画面において選局されている第１のチャンネルを、第２の画面において選局されている第２のチャンネルに切り替え、前記第２の画面において選局されている前記第２のチャンネルを、第３のチャンネルに切り替える
ことを特徴とする請求項１に記載の表示制御装置。
【請求項４】
前記選局制御手段は、前記選局操作に応じて、
第１の画面において選局されている第１のチャンネル群のチャンネルを、前記第１のチャンネル群の他のチャンネルに切り替え、
第２の画面において選局されている第２のチャンネル群のチャンネルを、前記第２のチャンネル群の他のチャンネルに切り替える
ことを特徴とする請求項１に記載の表示制御装置。
【請求項５】
チャンネルの選局順序を記憶する記憶手段をさらに備え、
前記選局制御手段は、前記選局順序にしたがって、前記複数のチャンネルの各々を、前記選局操作に応じて他のチャンネルに切り替える
ことを特徴とする請求項１から４のいずれか一項に記載の表示制御装置。
【請求項６】
前記表示手段において１つの画面が表示されているときに、予め定められた条件を満たす選局操作が行われた場合、前記表示手段の表示を、前記１つの画面の表示から、前記複数の画面の表示へ自動的に切り替える表示切替手段
をさらに備えることを特徴とする請求項１から５のいずれか一項に記載の表示制御装置。
【請求項７】
請求項１から６のいずれか一項に記載の表示制御装置を備えたことを特徴とするテレビジョン受像機。
【請求項８】
表示手段において複数の画面が表示されているときに、選局操作が行われた場合、前記複数の画面において選局されている複数のチャンネルの各々を、前記選局操作に応じて他のチャンネルに切り替える選局制御工程
を含むことを特徴とする表示制御方法。
【請求項９】
コンピュータを請求項１から６のいずれか一項に記載の表示制御装置として機能させるためのプログラムであって、前記コンピュータを前記表示制御装置が備える前記各手段として機能させるプログラム。
【請求項１０】
請求項９に記載のプログラムを記録しているコンピュータ読み取り可能な記録媒体。
【発明の詳細な説明】
【技術分野】
【０００１】
本発明は、表示手段の画面表示を制御することが可能な表示制御装置、テレビジョン受像機、表示制御方法、プログラム、および記録媒体に関する。
【背景技術】
【０００２】
近年、多くのテレビジョン受像機では、地上デジタル放送やＢＳ／ＣＳデジタル放送等、様々な放送局の番組を視聴することが可能となっている。視聴者は、嗜好するジャンルの番組を視聴するために、テレビ番組表等を利用して、視聴可能な多数の番組の中から嗜好するジャンルの番組を探し出し、その番組を放送する放送局を選局する選局操作を行う必要があった。
【０００３】
また、嗜好するジャンルの複数の番組が同時に放送されている場合もある。例えば、嗜好するジャンルの２つの番組が同時に放送されている場合、視聴者は、一方の視聴を断念したり、一方の番組を録画して後日視聴したり、頻繁に選局操作を行って双方の番組を交互に視聴することもあった。
【０００４】
このように、視聴者が嗜好するジャンルの複数の番組を視聴するためには、手間や時間が係る等、様々な不都合が生じていた。そこで、従来、このような不都合を軽減し、嗜好するジャンルの複数の番組を、容易に視聴者に視聴させるための、様々な技術が考案されている。
【０００５】
例えば、下記特許文献１には、視聴者の好みのジャンル又はキーワードを条件として予め記憶しておき、この条件に合致する番組が所定時間視聴された後、この番組から他の番組にチャンネルが切り替えられると、この番組と他の番組とを２画面表示するテレビジョンシステムが開示されている。このテレビジョンシステムによれば、他の番組の視聴中も、元の番組の進行状態を確認することができるとされている。
【先行技術文献】
【特許文献】
【０００６】
【特許文献１】特開２００８−１６７０８３号公報（２００８年７月１７日公開）
【発明の概要】
【発明が解決しようとする課題】
【０００７】
一方、視聴者は、テレビ番組表に拠らず、ザッピングと呼ばれる頻繁な選局操作行うことにより、現在放送されている複数の番組の中から、視聴する番組を決定する場合がある。テレビ番組表に示されている情報だけでは、視聴する番組を決定しきれず、実際に放送されている複数の番組の各々を一部視聴して、これらを比較することにより、これから視聴する番組を決定する場合があるからである。
【０００８】
この場合、視聴者は、選局操作に応じて表示される放送番組がめまぐるしく変わる中、タイミング良く所望するシーンが表示されたときに、そのときに選局されていた放送番組を視聴する放送番組として決定することが多い。それだけでなく、より好ましい放送番組を求めて、さらに選局操作を行う場合がある。このため、視聴する放送番組を決定するためには、多くの手間や時間が必要となっていた。
【０００９】
特許文献１に記載の技術は、条件を予め設定しておく必要があるうえに、このように選局操作を繰り返し行うことにより視聴する番組を決定することは想定されておらず、例え特許文献１に記載の技術を利用したとしても、依然として、視聴する放送番組を決定するためには、多くの手間や時間が必要となる。
【００１０】
本発明は、上記の問題に鑑みてなされたものであり、その目的は、視聴する番組を決定する際の選局操作に係る、視聴者の手間を軽減することにある。
【課題を解決するための手段】
【００１１】
上記した課題を解決するため、本発明に係る表示制御装置は、表示手段において複数の画面が表示されているときに、選局操作が行われた場合、前記複数の画面において選局されている複数のチャンネルの各々を、前記選局操作に応じて他のチャンネルに切り替える選局制御手段を備えることを特徴とする。
【００１２】
本発明によれば、１回の選局操作により、複数の画面の各々のチャンネルを切り替えることができるため、視聴する番組を決定する際の選局操作に係る、視聴者の手間を軽減することができる。
【００１３】
上記表示制御装置において、前記選局制御手段は、前記選局操作に応じて、第１の画面において選局されている第１のチャンネルを、第３のチャンネルに切り替え、第２の画面において選局されている第２のチャンネルを、第４のチャンネルに切り替えることが好ましい。
【００１４】
この構成によれば、１回の選局操作により、２つの画面によって選局されている２つのチャンネルを、他の２つのチャンネルへ切り替えることができる。すなわち、１回の選局操作を挟んで、４つのチャンネルを選局することができる。
【００１５】
上記表示制御装置において、前記選局制御手段は、第１の画面において選局されている第１のチャンネルを、第２の画面において選局されている第２のチャンネルに切り替え、前記第２の画面において選局されている前記第２のチャンネルを、第３のチャンネルに切り替えることが好ましい。
【００１６】
この構成によれば、繰り返し選局操作が行われた場合、その都度、選局されている期間が長いほうの１つのチャンネルが、表示対象外となる。これにより、各チャンネルは、２回の選局操作が行われるまで、表示手段に表示されることとなるため、選局操作に応じて新たにチャンネルを選局することを可能としつつ、各チャンネルの内容をゆっくり検討することができる。
【００１７】
また、新たに選局されたチャンネルは、常に第２の画面から表示が始まるため、例えば、新たに選局されたチャンネルだけを確認したい場合には、第２の画面から視線を移動させることなく、これを実現することができる。
【００１８】
また、一定の方向の選局操作（例えば、チャンネルアップ操作またはチャンネルダウン操作）が繰り返し行われることに応じて、ユーザにとっては、一定の方向（第２の画面から第１の画面への方向）への画面の流れが生じるように見えるため、心地よい操作感をユーザに与えることができる。
【００１９】
上記表示制御装置において、前記選局制御手段は、前記選局操作に応じて、第１の画面において選局されている第１のチャンネル群のチャンネルを、前記第１のチャンネル群の他のチャンネルに切り替え、第２の画面において選局されている第２のチャンネル群のチャンネルを、前記第２のチャンネル群の他のチャンネルに切り替えることが好ましい。
【００２０】
本発明によれば、１回の選局操作により、チャンネル群が異なる複数の画面の各々のチャンネルを切り替えることができるため、視聴する番組を決定する際の選局操作に係る、視聴者の手間を軽減することができる。
【００２１】
上記表示制御装置において、チャンネルの選局順序を記憶する記憶手段をさらに備え、前記選局制御手段は、前記選局順序にしたがって、前記複数のチャンネルの各々を、前記選局操作に応じて他のチャンネルに切り替えることが好ましい。
【００２２】
この構成によれば、繰り返し選局操作が行われるような場合でも、予め設定されたチャンネルの選局順序に従って、チャンネルが順次切り替えられる。これにより、いつも変わらない順番でチャンネルが順次切り替えられるため、ユーザは違和感を覚えることなく、容易に視聴する番組を検討することができる。
【００２３】
上記表示制御装置において、前記表示手段において１つの画面が表示されているときに、予め定められた条件を満たす選局操作が行われた場合、前記表示手段の表示を、前記１つの画面の表示から、前記複数の画面の表示へ自動的に切り替える表示切替手段をさらに備えることが好ましい。
【００２４】
この構成によれば、どの番組を視聴しようか迷っているために、いわゆるザッピング操作のような予め定められた条件を満たす選局操作が行われると、自動的に複数画面表示に切り替える。視聴者は、この複数画面表示により、同時に複数の放送番組の内容を確認することができるため、視聴する番組を容易に決定することができる。また、事前の設定や切り替え操作を視聴者に行わせることなく、自動的に複数画面表示に切り替えるため、視聴者の手間を軽減することができる。
【００２５】
また、本発明に係るテレビジョン受像機は、上記表示制御装置を備えたことを特徴とする。
【００２６】
本発明によれば、上記表示制御装置と同様の効果を奏するテレビジョン受像機を提供することができる。
【００２７】
また、本発明に係る表示制御方法は、表示手段において複数の画面が表示されているときに、選局操作が行われた場合、前記複数の画面において選局されている複数のチャンネルの各々を、前記選局操作に応じて他のチャンネルに切り替える選局制御工程を含むことを特徴とする。
【００２８】
本発明によれば、当該表示制御方法を表示制御装置が実行することにより、この表示制御装置は、上記表示制御装置と同様の効果を奏することができる。
【００２９】
また、本発明に係るプログラムは、コンピュータを上記表示制御装置として機能させるためのプログラムであって、上記コンピュータを上記表示制御装置が備える上記各手段として機能させるプログラムである。
【００３０】
本発明によれば、コンピュータが当該プログラムを実行することにより、このコンピュータは、上記表示制御装置と同様の効果を奏することができる。
【００３１】
また、本発明に係る記録媒体は、上記プログラムを記録しているコンピュータ読み取り可能な記録媒体である。
【００３２】
本発明によれば、上記表示制御装置と同様の効果を奏することができる上記プログラムを当該記録媒体により提供することができる。
【発明の効果】
【００３３】
本発明に係る表示制御装置、テレビジョン受像機、表示制御方法、プログラム、および記録媒体によれば、１回の選局操作により、複数の画面の各々のチャンネルを切り替えることができるため、視聴する番組を決定する際の選局操作に係る、視聴者の手間を軽減することができる。
【図面の簡単な説明】
【００３４】
【図１】実施形態１に係るテレビジョン受像機の外観を示す図である。
【図２】実施形態１に係るテレビジョン受像機の構成を示すブロック図である。
【図３】実施形態１に係るテレビジョン受像機が備える表示制御機能の構成を示すブロック図である。
【図４】記憶部３０６に記憶されているチャンネル設定の一例を示す図である。
【図５】実施形態１に係るテレビジョン受像機による表示制御処理の手順を示すフローチャートである。
【図６】実施形態１に係るテレビジョン受像機による表示制御処理の具体例を示す図である。
【図７】実施形態２に係るテレビジョン受像機による表示制御処理の手順を示すフローチャートである。
【図８】実施形態２に係るテレビジョン受像機による表示制御処理の具体例を示す図である。
【図９】実施形態３に係るテレビジョン受像機による表示制御処理の手順を示すフローチャートである。
【図１０】実施形態３に係るテレビジョン受像機による表示制御処理の具体例を示す図である。
【図１１】各実施形態に係るテレビジョン受像機による複数画面表示の変形例を示す図である。
【図１２】各実施形態に係るテレビジョン受像機による複数画面表示の変形例を示す図である。
【図１３】各実施形態に係るテレビジョン受像機による複数画面表示の変形例を示す図である。
【発明を実施するための形態】
【００３５】
以下、本発明の実施形態について、図面を用いて説明する。
【００３６】
（実施形態１）
（テレビジョン受像機１００の概要）
まず、本発明に係る実施形態１について説明する。はじめに、図１を参照して、実施形態１に係るテレビジョン受像機１００の概要について説明する。図１は、実施形態１に係るテレビジョン受像機１００の外観を示す図である。
【００３７】
図１に示すテレビジョン受像機１００は、地上デジタル放送やＢＳ／ＣＳデジタル放送等の各種放送番組を、対応するアンテナおよびチューナによって受信し、受信した放送番組を再生することによって、これら各種放送番組を視聴者に視聴させることができる装置である。
【００３８】
テレビジョン受像機１００は、本体１０２およびリモコン１０４を備えて構成されている。本体１０２は、同軸ケーブルによって外部アンテナ１１０に接続されており、これにより、各放送局から放送された放送波を受信することが可能となっている。
【００３９】
リモコン１０４は、本体１０２とは別体に設けられており、テレビジョン受像機１００に対して、選局操作を含む各種操作を行うためのものである。
【００４０】
なお、本体１０２には、操作ボタン２５２が設けられている。テレビジョン受像機１００は、この操作ボタン２５２によっても、選局操作を含む各種操作を行うことが可能となっている。
【００４１】
テレビジョン受像機１００は、タッチパネルを備えて構成することも可能であり、この場合、タッチパネルによって選局操作を含む各種操作を行う構成とすることも可能である。
【００４２】
（テレビジョン受像機１００の構成）
次に、図２を参照して、テレビジョン受像機１００の構成について説明する。図２は、実施形態１に係るテレビジョン受像機１００（本体１０２）の構成を示すブロック図である。
【００４３】
図２に示すように、テレビジョン受像機１００は、チューナユニット２００、ディスプレイ駆動回路２０８、ディスプレイ２１０、音声出力回路２１２、スピーカ２１４、表示制御部２２０、音声切替部２３０、制御回路２５０、操作ボタン２５２、リモコン受光部２５４、外部機器Ｉ／Ｆ２５６、および通信Ｉ／Ｆ２５８を備えている。
【００４４】
（チューナユニット）
チューナユニット２００は、チューナ２０２、デモジュレータ２０４、デマルチプレクサ２０６を有している。
【００４５】
チューナ２０２は、地上デジタル放送やＢＳ／ＣＳデジタル放送等の各種放送番組の放送波を外部アンテナ１１０を介して受信する。チューナ２０２によって受信された放送波は、デモジュレータ２０４に供給される。
【００４６】
デモジュレータ２０４は、供給された放送波を復調することによってＴＳ（Transport Stream）を得る。デモジュレータ２０４によって得られたＴＳは、デマルチプレクサ２０６に供給される。
【００４７】
デマルチプレクサ２０６は、供給されたＴＳから映像信号および音声信号を分離する。デマルチプレクサ２０６によってＴＳから分離された映像信号（圧縮ビデオデータ）は、図示を省略するビデオデコーダによってデコードされ、デジタルビデオデータとなって、ディスプレイ駆動回路２０８へ供給される。一方、デマルチプレクサ２０６によってＴＳから分離された音声信号（圧縮音声データ）は、図示を省略するオーディオデコーダによってデコードされ、デジタルオーディオデータとなって、音声出力回路２１２へ供給される。
【００４８】
（ディスプレイ駆動回路、ディスプレイ）
ディスプレイ駆動回路２０８は、供給された映像信号に応じてディスプレイ２１０を駆動することにより、放送番組を構成する映像を、ディスプレイ２１０に表示させる。本実施形態のテレビジョン受像機１００は、ディスプレイ２１０として、液晶ディスプレイを採用しているが、これ以外にも、有機ＥＬディスプレイ、プラズマディスプレイ、ブラウン管ディスプレイ等が採用され得る。
【００４９】
（音声出力回路、スピーカ）
音声出力回路２１２は、供給された音声信号に応じてスピーカ２１４を駆動することにより、放送番組を構成する音声をスピーカ２１４から出力させる。
【００５０】
（制御回路）
制御回路２５０は、ＣＰＵ、ＲＯＭ、ＲＡＭ等によって構成されており、ＲＯＭ、ＲＡＭ等に記録されているプログラムをＣＰＵが実行することにより、テレビジョン受像機１００の各部を制御する。
【００５１】
（操作ボタン、リモコン受光部）
操作ボタン２５２は、テレビジョン受像機１００の本体１０２に設けられており、テレビジョン受像機１００に対する各種操作を行うためのものである。
【００５２】
リモコン受光部２５４は、リモコン１０４により発せられた赤外光を受光することにより、リモコン１０４によるテレビジョン受像機１００に対する各種遠操作を受け付けるためのものである。
【００５３】
すなわち、テレビジョン受像機１００は、リモコン１０４による操作と、操作ボタン２５２による操作との双方を行うことが可能となっている。ユーザは、リモコン１０４または操作ボタン２５２を操作することによって、テレビジョン受像機１００に対して、電源のＯＮ／ＯＦＦ、選局、音量調整、入力切り替え、各種設定、録画、再生等の操作を行うことができる。
【００５４】
（外部機器Ｉ／Ｆ）
外部機器Ｉ／Ｆ２５６は、外部機器へのアクセスを制御する。例えば、テレビジョン受像機１００は、ＢＤレコーダやＨＤＤレコーダ等のレコーダを接続することにより、このレコーダに放送番組を録画したり、このレコーダに録画されている放送番組を再生したりすることができる。その際、レコーダへのアクセスは、この外部機器Ｉ／Ｆ２５６によって制御されることとなる。
【００５５】
（通信Ｉ／Ｆ）
通信Ｉ／Ｆ２５８は、ＬＡＮやインターネット等の通信ネットワークへのアクセスを制御する。例えば、テレビジョン受像機１００は、インターネットに接続することにより、インターネットから放送番組をダウンロードして再生したり、インターネットからテレビ番組情報等の各種情報を取得して表示したり、インターネットに対して懸賞の応募情報等の各種情報を送信したりすることができる。その際、インターネットへのアクセスは、この通信Ｉ／Ｆ２５８によって制御されることとなる。
【００５６】
（Ｗチューナ、複数画面表示）
ここで、本実施形態のテレビジョン受像機１００は、２つのチューナユニット２００（チューナユニットＡおよびチューナユニットＢ）が設けられており、それぞれが独立してチューナ装置として機能することができる。すなわち、２つのチューナユニット２００は、互いに異なる放送局の放送番組を出力することができる。
【００５７】
これに応じて、本実施形態のテレビジョン受像機１００は、いずれか一方のチューナユニットを用いて、ある１つの放送番組を１画面表示したり、双方のチューナユニットを用いて、ある２つの放送番組を２画面表示したり、一方のチューナユニット２００を用いてある放送番組を視聴しつつ、他方のチューナユニット２００を用いて他の放送番組を録画したりすることが可能となっている。
【００５８】
例えば、いずれか一方のチューナユニット２００から出力された１つの放送番組を１画面表示する場合、表示制御部２２０によって、その放送番組の映像信号が選択的にディスプレイ駆動回路２０８へ出力されるとともに、音声切替部２３０によって、その放送番組の音声信号が選択的に音声出力回路２１２へ出力される。
【００５９】
また、双方のチューナユニット２００から出力された２つの放送番組を２画面表示する場合、表示制御部２２０によって、２つの放送番組が所定のレイアウトで２画面表示されるように、２つの放送番組の各々の映像信号がディスプレイ駆動回路２０８へ出力される。
【００６０】
２画面表示の場合、音声が出力されない場合もあるし、音声切替部２３０によって、いずれか一方の放送番組（例えば、優先度の高い放送番組）の音声信号が選択的に音声出力回路２１２へ出力される場合もある。
【００６１】
本実施形態のテレビジョン受像機１００は、表示制御部２２０の制御によって、放送番組だけでなく、文字放送データや、電子番組表、各種設定画面等を表示することも可能となっている。
【００６２】
（表示制御機能）
ここで、本実施形態のテレビジョン受像機１００が備える表示制御機能について具体的に説明する。まず、図３を参照して、テレビジョン受像機１００が備える表示制御機能の構成について説明する。
【００６３】
図３は、実施形態１に係るテレビジョン受像機１００が備える表示制御機能の構成を示すブロック図である。図３に示すように、テレビジョン受像機１００の表示制御部２２０は、選局操作受付部３０２、選局部３０４、記憶部３０６、表示画面制御部３１２、表示画面生成部３１４、番組表データ取得部３１６、電子番組表生成部３１８、選局制御部３２０、および表示切替部３３０を有している。
【００６４】
（選局操作受付部３０２）
選局操作受付部３０２は、テレビジョン受像機１００に対する選局操作を受け付ける。既に説明したとおり、視聴者は、リモコン１０４または操作ボタン２５２を操作することにより、テレビジョン受像機１００に対する選局操作を行う。
【００６５】
具体的には、選局操作は、各チャンネルが割り当てられた複数のチャンネルボタン（数字ボタン）、または「選局」や「ＣＨ」等と併記されている上下ボタン（選局ボタン）によって行われる。
【００６６】
前者の場合、任意のチャンネルボタンが押下されると、そのチャンネルボタンに割り当てられているチャンネルが選局される。
【００６７】
後者の場合、上ボタンが押下されると、現在選局されているチャンネルの次のチャンネルが選局される。このような選局操作を、本実施形態では「チャンネルアップ操作」と称する。
【００６８】
また、下ボタンが押下されると、現在選局されているチャンネルの前のチャンネルが選局される。このような選局操作を、本実施形態では「チャンネルダウン操作」と称する。
【００６９】
チャンネルアップ操作およびチャンネルダウン操作は、リモコンや本体の上下ボタンに限らず、左右ボタンや、コントロールホイール、トラックボール、タッチパネル等によっても行われ得る。また、将来的には、ユーザのモーションや、音声入力等によって行われることも考え得る。
【００７０】
本実施形態では、選局操作として主に後者（チャンネルアップ操作およびチャンネルダウン操作）が行われた場合について説明しているが、本発明はこれに限定するものではなく、選局操作として前者が行われた場合に適用することもできる。
【００７１】
このような選局操作に応じて、リモコン１０４または操作ボタン２５２からは、選局操作に応じた制御信号が送られてくる。例えば、この制御信号には、上記チャンネルボタンの識別情報や、上記上下ボタンの識別情報等が示されている。選局操作受付部３０２は、この制御信号を受信することにより、テレビジョン受像機１００に対する選局操作を受け付けることとなる。
【００７２】
（記憶部３０６）
記憶部３０６は、チャンネル設定を記憶する。チャンネル設定とは、チャンネルと放送局との対応付けや、チャンネルの選局順序等が示されているものである。
【００７３】
大概、チャンネル設定には、地域や契約内容に応じて、受信可能な複数のチャンネルが自動的に設定される。また、チャンネル設定において、チャンネルの選局順序は、大概、チャンネル番号の昇順または降順となるように、自動的に設定される。
【００７４】
但し、チャンネル設定には、ユーザが任意のチャンネルを登録したり、削除したりすることもできる。また、テレビジョン受像機１００が、空いたチャンネルに、他のチャンネルを自動的に割り当てる場合もある。これにより、チャンネルの選局順序は、チャンネル番号の昇順または降順とならない場合もある。
【００７５】
また、記憶部３０６には、予め複数の地域のチャンネル設定が記憶されている場合もある。この場合、テレビジョン受像機１００が使用される地域に応じて、いずれかのチャンネル設定が使用されることとなる。
【００７６】
（選局部３０４）
選局部３０４は、選局操作受付部３０２によって選局操作が受け付けられると、その選局操作に応じた選局処理を行う。
【００７７】
例えば、選局部３０４は、チャンネルアップ操作が行われると、チューナユニット２００による選局を、現在選局されているチャンネルの次のチャンネルに切り替える。また、チャンネルダウン操作が行われると、チューナユニット２００による選局を、現在選局されているチャンネルの前のチャンネルに切り替える。
【００７８】
具体的には、選局部３０４は、チューナユニット２００によって現在選局されているチャンネルと、選局操作（チャンネルアップ操作またはチャンネルダウン操作）とに応じて、当該選局操作によって次に選局されるべきチャンネルを特定する。例えば、選局部３０４は、記憶部３０６に記憶されているチャンネル設定に従って、次に選局されるべきチャンネルを特定する。
【００７９】
そして、選局部３０４は、特定されたチャンネルへ選局を切り替えるように、チューナユニット２００に対して指示する。これに応じて、チューナユニット２００は、外部アンテナ１１０を介して受信した複数の放送波の中から、指示されたチャンネルの放送波を抽出し、このチャンネルの放送番組の映像信号および音声信号を出力する。これにより、ディスプレイ２１０には、選局されたチャンネルの放送番組を構成する映像が表示され、スピーカ２１４からは、その放送番組を構成する音声が出力されることとなる。
【００８０】
選局部３０４は、視聴者によって選局操作が行われ、この選局操作を選局操作受付部３０２が受け付ける毎に、上記のとおり、その選局操作に応じた選局処理を行う。
【００８１】
図２に示したとおり、本実施形態のテレビジョン受像機１００は、２つのチューナユニットを備えている。これに応じて、選局部３０４は、この２つのチューナユニット２００の各々に対して、チャンネルの切り替えを指示することができる。
【００８２】
（番組表データ取得部３１６）
番組表データ取得部３１６は、各放送番組の番組表データを取得する。例えば、チューナユニット２００が受信した放送波には、映像信号に番組表データが重畳されている。そこで、番組表データ取得部３１６は、チューナユニット２００から受信した映像信号から番組表データを抽出することにより、番組表データを取得することができる。
【００８３】
（電子番組表生成部３１８）
電子番組表生成部３１８は、番組表データ取得部３１６が取得した各放送番組の番組表データを用いて、電子番組表を生成する。
【００８４】
（表示画面生成部３１４）
表示画面生成部３１４は、表示用の画面を生成する。具体的には、表示画面生成部３１４は、放送番組や、電子番組表、文字放送データ等が、予め定められた表示レイアウトで表示されるように、その表示用の画面を生成する。
【００８５】
テレビジョン受像機１００は、表示モードとして「１画面表示」と「２画面表示」とを切り替えることができるようになっている。
【００８６】
「１画面表示」は、１つの放送局の放送番組を１つの画面により表示する表示モードを示す。「２画面表示」は、２つの放送局の放送番組を２つの画面により同時に表示する表示モードを示す。ここでいう「画面」とは、ソフトウェア的に定義された表示領域である。ディスプレイの表示パネルの表示領域（すなわち、ハードウェア的な表示領域）を画面と呼ぶこともあるが、これとは異なるものである。
【００８７】
また、テレビジョン受像機１００は、放送番組だけでなく、電子番組表や、文字放送データを表示することができるようになっている。表示モード切り替えや、電子番組表の表示指示、文字放送データの表示指示は、リモコン１０４や操作ボタン２５２の操作によって、ユーザが任意に行うことができる。
【００８８】
例えば、表示モードとして「１画面表示」が選択されている場合、表示画面生成部３１４は、各チューナユニット２００から受信した放送番組を１画面表示するための画面を生成する。
【００８９】
また、表示モードとして「２画面表示」が選択されている場合、各チューナユニット２００から受信した放送番組を２画面表示するための画面を生成する。
【００９０】
また、電子番組表の表示が指示された場合、表示画面生成部３１４は、電子番組表生成部３１８によって生成された電子番組表を表示するための画面を生成する。
【００９１】
また、文字放送データの表示が指示された場合、表示画面生成部３１４は、放送番組に重畳されている文字放送データを表示するための画面を生成する。
【００９２】
表示画面生成部３１４によって生成された画面は、ディスプレイ駆動回路２０８に供給され、ディスプレイ２１０に表示されることになる。
【００９３】
（選局制御部３２０）
選局制御部３２０は、選局部３０４による選局処理を制御する。特に、選局制御部３２０は、表示モードが「２画面表示」のときの、上記選局処理を制御する。例えば、選局制御部３２０は、表示モードが「２画面表示」のときに、選局操作（チャンネルアップ操作またはチャンネルダウン操作）が行われた場合、１回の当該選局操作により、２つの画面の各々のチャンネルを同時に切り替えることができる。
【００９４】
（表示切替部３３０）
表示切替部３３０は、ディスプレイ２１０の表示を制御する。特に、表示切替部３３０は、ディスプレイ２１０の表示モードの切り替えを制御する。
【００９５】
例えば、表示切替部３３０は、ユーザによるリモコン１０４等の操作によって、予め定められた操作が行われた場合、ディスプレイ２１０の表示モードを「１画面表示」から「２画面表示」へ、または「２画面表示」から「１画面表示」へ切り替える。
【００９６】
また、表示切替部３３０は、ディスプレイ２１０の表示モードが「１画面表示」のときに、予め定められた条件を満たす選局操作が行われた場合、ディスプレイ２１０の表示モードを、「１画面表示」から、「２画面表示」へ自動的に切り替えることもできる。上記条件は、どのようなものであってもよいが、特に、いわゆるザッピング操作が行われたことを判断できるものであることが好ましい。
【００９７】
例えば、上記条件としては、所定間隔よりも短い間隔での選局操作が連続して所定回数以上行われたことを判断するための条件や、所定時間内に選局操作が所定回数以上行われたことを判断するための条件等が適している。
【００９８】
（他の機能）
表示制御部２２０は、上記した機能以外にも、表示画面のサイズや、明るさ、色などを調整する機能等を有している。これらの機能は、一般的なテレビジョン装置が備える機能であるため、詳細な説明は省略する。
【００９９】
（チャンネル設定の一例）
図４は、記憶部３０６に記憶されているチャンネル設定の一例を示す図である。
【０１００】
図４に示す例では、チャンネル設定においては、複数の放送種別（地上デジタル、ＢＳデジタル、およびＣＳデジタル）の各々に対して、複数のチャンネルが設定されており、各チャンネルに対して、放送局が対応付けられている。
【０１０１】
また、チャンネル設定においては、複数のチャンネルが順番に並べて設定されている。この並び順は、チャンネルアップ操作またはチャンネルダウン操作が行われたときの、チャンネルの選局順序となる。
【０１０２】
通常は、複数のチャンネルは、図４に示すように、チャンネルの番号順に並べられる。これに応じて、チャンネルアップ操作またはチャンネルダウン操作による、チャンネルの選局順序は、チャンネルの番号順（昇順または降順）となる。
【０１０３】
例えば、図４に示す例では、「１ｃｈ」が設定されている行の次の行には「２ｃｈ」が設定されている。これにより、表示モードが「１画面表示」のときに、「１ｃｈ」が選局されている状態で、チャンネルアップ操作が行われると、「２ｃｈ」が選局され、「２ｃｈ」が選局されている状態で、チャンネルダウン操作が行われると、「１ｃｈ」が選局される。
【０１０４】
このチャンネル設定には、地域や契約内容などに応じて、視聴可能なチャンネルが設定される。この設定は、テレビジョン受像機１００が自動的に行うこともできるし、ユーザが手動で行うこともできる。
【０１０５】
（表示制御処理の手順）
次に、図５を参照して、テレビジョン受像機１００による表示制御処理の手順について説明する。図５は、実施形態１に係るテレビジョン受像機１００による表示制御処理の手順を示すフローチャートである。
【０１０６】
この表示制御処理は、例えば、放送番組の視聴中であり、かつディスプレイ２１０の画面表示が１画面表示となっているときに、表示制御部２２０によって実行される。
【０１０７】
まず、表示制御部２２０は、ディスプレイ２１０の画面表示を、２画面表示に切り替える（ステップＳ５０２）。既に説明したとおり、表示制御部２２０は、ユーザによるリモコン１０４等によって、２画面表示への切り替え操作が行われた場合、または、予め定められた条件を満たす選局操作が行われた場合、当該２画面表示への切り替えを行う。
【０１０８】
この時最初に表示される２つのチャンネルは、予め定められたものであってもよく、２画面表示への切り替え前に選局されていたチャンネルを含むものであってもよい。本実施形態では、好適な例として、選局順序が連続する２つのチャンネル（１ｃｈおよび２ｃｈ）を用いているが、これに限らない。
【０１０９】
（チャンネルアップ操作）
その後、選局操作受付部３０２により、チャンネルアップ操作を受け付けると（ステップＳ５０４）、選局制御部３２０は、２画面表示における第１の画面（例えば、左側の画面）の選局を、現在選局されているチャンネル（第１のチャンネル）から、チャンネルの選局順序がこのチャンネルよりも２つ後に設定されているチャンネル（第３のチャンネル）へと切り替える（ステップＳ５０６）。
【０１１０】
また、選局制御部３２０は、２画面表示における第２の画面（例えば、右側の画面）の選局を、現在選局されているチャンネル（第２のチャンネル）から、チャンネルの選局順序がこのチャンネルよりも２つ後に設定されているチャンネル（第４のチャンネル）へと切り替える（ステップＳ５０８）。
【０１１１】
例えば、第１の画面に１ｃｈが選局されており、第２の画面に２ｃｈが選局されている場合において、チャンネルアップ操作が行われた場合、第１の画面の選局を３ｃｈに切り替え、第２の画面の選局を４ｃｈに切り替えるといった具合である。この場合、１ｃｈおよび２ｃｈが第１の画面および第２の画面からシフトアウトし、これにより空きとなった第１の画面および第２の画面に、３ｃｈおよび４ｃｈがシフトインしてくるような形となる。
【０１１２】
（チャンネルダウン操作）
一方、選局操作受付部３０２により、チャンネルダウン操作を受け付けると（ステップＳ５１０）、選局制御部３２０は、２画面表示における第１の画面（例えば、左側の画面）の選局を、現在選局されているチャンネルから、チャンネルの選局順序がこのチャンネルよりも２つ前に設定されているチャンネルへと切り替える（ステップＳ５１２）。
【０１１３】
また、選局制御部３２０は、２画面表示における第２の画面（例えば、右側の画面）の選局を、現在選局されているチャンネルから、チャンネルの選局順序がこのチャンネルよりも２つ前に設定されているチャンネルへと切り替える（ステップＳ５１４）。
【０１１４】
例えば、第１の画面に３ｃｈが選局されており、第２の画面に４ｃｈが選局されている場合において、チャンネルダウン操作が行われた場合、第１の画面の選局を１ｃｈに切り替え、第２の画面の選局を２ｃｈに切り替えるといった具合である。この場合、３ｃｈおよび４ｃｈが第１の画面および第２の画面からシフトアウトし、これにより空きとなった第１の画面および第２の画面に、１ｃｈおよび２ｃｈがシフトインしてくるような形となる。
【０１１５】
（表示制御処理の具体例）
次に、図６を参照して、テレビジョン受像機１００による表示制御処理の具体例について説明する。図６は、実施形態１に係るテレビジョン受像機１００による表示制御処理の具体例を示す図である。
【０１１６】
本実施形態のテレビジョン受像機１００は、ディスプレイ２１０の画面表示が２画面表示となっている状態で、選局操作が行われた場合、図６に示すような２画面表示の制御を行うことができる。このような２画面表示の制御は、例えば、図３に示した表示制御部２２０によって実現される。
【０１１７】
図６（ａ）〜（ｄ）のそれぞれは、本実施形態のテレビジョン受像機１００による２画面表示の一例を示している。
【０１１８】
図６（ａ）〜（ｄ）では、いずれも、画面６０２と画面６０４とが横方向に並べて２画面表示されており、特に、画面６０２（第１の画面）はディスプレイ２１０の表示領域の左側に設けられており、画面６０４（第２の画面）はディスプレイ２１０の表示領域の右側に設けられている。画面６０２には、２つのチューナユニット２００のうちの一方のチューナユニット２００によって選局されたチャンネルが表示され、画面６０４には、他方のチューナユニット２００によって選局されたチャンネルが表示される。
【０１１９】
既に説明したとおり、本実施形態のテレビジョン受像機１００は、２画面表示されているときに選局操作が行われると、２つの画面の各々のチャンネルを切り替えることができる。
【０１２０】
特に、本実施形態のテレビジョン受像機１００は、１回の選局操作により、２つの画面の選局を、現在選局されている２つのチャンネルから、次の２つのチャンネルへと切り替えることができる。このとき、テレビジョン受像機１００は、この次の２つのチャンネルを、記憶部３０６に記憶されているチャンネル設定に従って決定することができる。
【０１２１】
例えば、図６（ａ）では、画面６０２では、１ｃｈが選局されており、画面６０４では、２ｃｈが選局されている。この図６（ａ）の状態から、チャンネルアップ操作が行われると、図４に示したチャンネル設定に従い、画面６０２は３ｃｈに切り替わり、画面６０４は４ｃｈに切り替わる。これにより、ディスプレイ２１０の表示は、図６（ｂ）に示す状態となる。
【０１２２】
反対に、図６（ｂ）の状態から、チャンネルダウン操作が行われると、図４に示したチャンネル設定に従い、画面６０２は１ｃｈに切り替わり、画面６０４は２ｃｈに切り替わる。これにより、ディスプレイ２１０の表示は、図６（ａ）に示す状態となる。
【０１２３】
テレビジョン受像機１００は、選局操作が繰り返し行われると、その都度、上記したように２つの画面の各々のチャンネルを切り替えることができる。
【０１２４】
このように、本実施形態のテレビジョン受像機１００によれば、視聴者は、このような２画面表示により、複数の番組を同時に視聴することができるので、これから視聴する番組の検討を効率的に行うことができる。また、視聴者は、１回の選局操作により、２つの画面のチャンネルの各々を同時に切り替えることができるので、これから視聴する番組の検討を少ない操作で効率的に行うことができる。
【０１２５】
特に、本実施形態のテレビジョン受像機１００によれば、視聴者は、１回の選局操作により、２つの画面によって選局されている２つのチャンネルを、この２つのチャンネルに続く他の２つのチャンネルへ切り替えることができる。すなわち、１回の選局操作を挟んで、連続する４つのチャンネルを選局することができる。
【０１２６】
なお、図６では、地上デジタル放送の２画面表示の一例を示したが、もちろん、テレビジョン受像機１００は、他の放送種別（ＢＳデジタル放送、ＣＳデジタル放送等）であっても、同様に２画面表示することができる。
【０１２７】
（実施形態２）
次に、本発明に係る実施形態２について説明する。この実施形態２は、２画面表示のときに選局操作が行われた場合の制御が、実施形態１と異なる。この相違点以外は、実施形態１と同様である。このため、以下では、実施形態１との相違点について説明する。
【０１２８】
（表示制御処理の手順）
まず、図７を参照して、テレビジョン受像機１００による表示制御処理の手順について説明する。図７は、実施形態２に係るテレビジョン受像機１００による表示制御処理の手順を示すフローチャートである。
【０１２９】
この表示制御処理は、例えば、放送番組の視聴中であり、かつディスプレイ２１０の画面表示が１画面表示となっているときに、表示制御部２２０によって実行される。
【０１３０】
まず、表示制御部２２０は、ディスプレイ２１０の画面表示を、２画面表示に切り替える（ステップＳ７０２）。既に説明したとおり、表示制御部２２０は、ユーザによるリモコン１０４等によって、２画面表示への切り替え操作が行われた場合、または、予め定められた条件を満たす選局操作が行われた場合、当該２画面表示への切り替えを行う。
【０１３１】
この時最初に表示される２つのチャンネルは、予め定められたものであってもよく、２画面表示への切り替え前に選局されていたチャンネルを含むものであってもよい。本実施形態では、好適な例として、選局順序が連続する２つのチャンネル（１ｃｈおよび２ｃｈ）を用いているが、これに限らない。
【０１３２】
（チャンネルアップ操作）
その後、選局操作受付部３０２により、チャンネルアップ操作を受け付けると（ステップＳ７０４）、選局制御部３２０は、２画面表示における第１の画面（例えば、左側の画面）の選局を、現在選局されているチャンネル（第１のチャンネル）から、チャンネルの選局順序がこのチャンネルよりも１つ後に設定されているチャンネル（第２のチャンネル）へと切り替える（ステップＳ７０６）。
【０１３３】
また、選局制御部３２０は、２画面表示における第２の画面（例えば、右側の画面）の選局を、現在選局されているチャンネル（第２のチャンネル）から、チャンネルの選局順序がこのチャンネルよりも１つ後に設定されているチャンネル（第３のチャンネル）へと切り替える（ステップＳ７０８）。
【０１３４】
例えば、第１の画面に１ｃｈが選局されており、第２の画面に２ｃｈが選局されている場合において、チャンネルアップ操作が行われた場合、第１の画面の選局を２ｃｈに切り替え、第２の画面の選局を３ｃｈに切り替えるといった具合である。この場合、２ｃｈが第２の画面から第１の画面にシフトし、これにより空きとなった第２の画面に、３ｃｈがシフトしてくるような形となる。
【０１３５】
（チャンネルダウン操作）
一方、選局操作受付部３０２により、チャンネルダウン操作を受け付けると（ステップＳ７１０）、選局制御部３２０は、２画面表示における第１の画面（例えば、左側の画面）の選局を、現在選局されているチャンネルから、チャンネルの選局順序がこのチャンネルよりも１つ前に設定されているチャンネルへと切り替える（ステップＳ７１２）。
【０１３６】
また、選局制御部３２０は、２画面表示における第２の画面（例えば、右側の画面）の選局を、現在選局されているチャンネルから、チャンネルの選局順序がこのチャンネルよりも１つ前に設定されているチャンネルへと切り替える（ステップＳ７１４）。
【０１３７】
例えば、第１の画面に２ｃｈが選局されており、第２の画面に３ｃｈが選局されている場合において、チャンネルダウン操作が行われた場合、第１の画面の選局を１ｃｈに切り替え、第２の画面の選局を２ｃｈに切り替えるといった具合である。この場合、２ｃｈが第１の画面から第２の画面にシフトし、これにより空きとなった第１の画面に、１ｃｈがシフトしてくるような形となる。
【０１３８】
（表示制御処理の具体例）
次に、図８を参照して、テレビジョン受像機１００による表示制御処理の具体例について説明する。図８は、実施形態２に係るテレビジョン受像機１００による表示制御処理の具体例を示す図である。
【０１３９】
本実施形態のテレビジョン受像機１００は、ディスプレイ２１０の画面表示が２画面表示となっている状態で、選局操作が行われた場合、図８に示すような２画面表示の制御を行うことができる。このような２画面表示の制御は、例えば、図３に示した表示制御部２２０によって実現される。
【０１４０】
図８（ａ）〜（ｄ）のそれぞれは、本実施形態のテレビジョン受像機１００による２画面表示の一例を示している。
【０１４１】
図８（ａ）〜（ｄ）では、いずれも、画面８０２と画面８０４とが横方向に並べて２画面表示されており、特に、画面８０２（第１の画面）はディスプレイ２１０の表示領域の左側に設けられており、画面８０４（第２の画面）はディスプレイ２１０の表示領域の右側に設けられている。画面８０２には、２つのチューナユニット２００のうちの一方のチューナユニット２００によって選局されたチャンネルが表示され、画面８０４には、他方のチューナユニット２００によって選局されたチャンネルが表示される。
【０１４２】
既に説明したとおり、本実施形態のテレビジョン受像機１００は、２画面表示されているときに選局操作が行われると、２つの画面の各々のチャンネルを切り替えることができる。
【０１４３】
特に、本実施形態のテレビジョン受像機１００は、１回の選局操作によって、２つの画面の各々のチャンネルを切り替えることにより、２つのチャンネルのうちの一のチャンネルの表示位置を他のチャンネルの表示位置にシフトしつつ、一のチャンネルが表示されていた表示位置に、さらに他のチャンネルを表示することができる。
【０１４４】
このとき、テレビジョン受像機１００は、このさらに他のチャンネルを、記憶部３０６に記憶されているチャンネル設定に従って決定することができる。
【０１４５】
例えば、図８（ａ）では、画面８０２では、１ｃｈが選局されており、画面８０４では、２ｃｈが選局されている。この図８（ａ）の状態から、チャンネルアップ操作が行われると、図４に示したチャンネル設定に従い、画面８０２は２ｃｈに切り替わり、画面８０４は３ｃｈに切り替わる。これにより、ディスプレイ２１０の表示は、図８（ｂ）に示す状態となる。結果的に、ディスプレイ２１０の表示は、２ｃｈの表示位置が画面８０４から画面８０２にシフトされ、画面８０４に、３ｃｈが表示されたことになる。
【０１４６】
反対に、図８（ｂ）の状態から、チャンネルダウン操作が行われると、図４に示したチャンネル設定に従い、画面８０２は１ｃｈに切り替わり、画面８０４は２ｃｈに切り替わる。これにより、ディスプレイ２１０の表示は、図８（ａ）に示す状態となる。結果的に、ディスプレイ２１０の表示は、２ｃｈの表示位置が画面８０２から画面８０４にシフトされ、画面８０２に、１ｃｈが表示されたことになる。
【０１４７】
テレビジョン受像機１００は、選局操作が繰り返し行われると、その都度、上記したように２つの画面の各々のチャンネルを切り替えることができる。
【０１４８】
このように、本実施形態のテレビジョン受像機１００によれば、視聴者は、このような２画面表示により、複数の番組を同時に視聴することができるので、これから視聴する番組の検討を効率的に行うことができる。また、視聴者は、１回の選局操作により、２つの画面のチャンネルの各々を同時に切り替えることができるので、これから視聴する番組の検討を少ない操作で効率的に行うことができる。
【０１４９】
特に、本実施形態のテレビジョン受像機１００によれば、繰り返し選局操作が行われた場合、その都度、画面８０２に表示されているチャンネル（選局されている期間が長いほうの１つのチャンネル）が、表示対象外となる。
【０１５０】
これにより、各チャンネルは、２回の選局操作が行われるまで、ディスプレイ２１０に表示されることとなるため、視聴者は、その内容をゆっくり検討することができる。
【０１５１】
また、新たに選局されたチャンネルは、常に第２の画面（画面８０４）から表示が始まるため、例えば、新たに選局されたチャンネルだけを確認したい場合には、第２の画面から視線を移動させることなく、これを実現することができる。
【０１５２】
また、一定の方向の選局操作（例えば、チャンネルアップ操作またはチャンネルダウン操作）が繰り返し行われることに応じて、視聴者にとっては、一定の方向（第２の画面から第１の画面への方向、または第１の画面から第２の画面への方向）への画面の流れが生じるように見えるため、心地よい操作感をユーザに与えることができる。
【０１５３】
なお、図８では、地上デジタル放送の２画面表示の一例を示したが、もちろん、テレビジョン受像機１００は、他の放送種別（ＢＳデジタル放送、ＣＳデジタル放送等）であっても、同様に２画面表示することができる。
【０１５４】
（実施形態３）
次に、本発明に係る実施形態３について説明する。実施形態１，２では、２つの画面で１つの放送種別の２つのチャンネルを表示する場合における制御を説明したが、この実施形態３は、２つの画面で２つの放送種別の２つのチャンネルを表示する場合における制御を説明する。この相違点以外は、実施形態１，２と同様である。このため、以下では、実施形態１，２との相違点について説明する。
【０１５５】
（表示制御処理の手順）
まず、図９を参照して、テレビジョン受像機１００による表示制御処理の手順について説明する。図９は、実施形態３に係るテレビジョン受像機１００による表示制御処理の手順を示すフローチャートである。
【０１５６】
この表示制御処理は、例えば、放送番組の視聴中であり、かつディスプレイ２１０の画面表示が１画面表示となっているときに、表示制御部２２０によって実行される。
【０１５７】
まず、表示制御部２２０は、ディスプレイ２１０の画面表示を、２画面表示に切り替える（ステップＳ９０２）。既に説明したとおり、表示制御部２２０は、ユーザによるリモコン１０４等によって、２画面表示への切り替え操作が行われた場合、または、予め定められた条件を満たす選局操作が行われた場合、当該２画面表示への切り替えを行う。
【０１５８】
以降の説明では、２画面表示における第１の画面（例えば、左側の画面）において、第１の放送種別のチャンネルが選局され、２画面表示における第２の画面（例えば、右側の画面）において、第２の放送種別のチャンネルが選局されていることとする。テレビジョン受像機１００では、２画面表示に切り替えられたときに自動的にこのような状態となるようにしてもよく、ユーザによるリモコン１０４等の操作によって、手動的にこのような状態になるようにしてもよい。
【０１５９】
（チャンネルアップ操作）
その後、選局操作受付部３０２により、チャンネルアップ操作を受け付けると（ステップＳ９０４）、選局制御部３２０は、２画面表示における第１の画面（例えば、左側の画面）の選局を、現在選局されているチャンネルから、このチャンネルと同じ第１の放送種別であり、かつチャンネルの選局順序がこのチャンネルよりも１つ後に設定されているチャンネルへと切り替える（ステップＳ９０６）。
【０１６０】
また、選局制御部３２０は、２画面表示における第２の画面（例えば、右側の画面）の選局を、現在選局されているチャンネルから、このチャンネルと同じ第２の放送種別であり、かつチャンネルの選局順序がこのチャンネルよりも１つ後に設定されているチャンネルへと切り替える（ステップＳ９０８）。
【０１６１】
例えば、第１の画面にＢＳ１ｃｈが選局されており、第２の画面にＣＳ１ｃｈが選局されている場合において、チャンネルアップ操作が行われた場合、第１の画面の選局をＢＳ２ｃｈに切り替え、第２の画面の選局をＣＳ２ｃｈに切り替えるといった具合である。
【０１６２】
（チャンネルダウン操作）
一方、選局操作受付部３０２により、チャンネルダウン操作を受け付けると（ステップＳ９１０）、選局制御部３２０は、２画面表示における第１の画面（例えば、左側の画面）の選局を、現在選局されているチャンネルから、このチャンネルと同じ第１の放送種別であり、かつチャンネルの選局順序がこのチャンネルよりも１つ前に設定されているチャンネルへと切り替える（ステップＳ９１２）。
【０１６３】
また、選局制御部３２０は、２画面表示における第２の画面（例えば、右側の画面）の選局を、現在選局されているチャンネルから、このチャンネルと同じ第２の放送種別であり、かつチャンネルの選局順序がこのチャンネルよりも１つ前に設定されているチャンネルへと切り替える（ステップＳ９１４）。
【０１６４】
例えば、第１の画面にＢＳ２ｃｈが選局されており、第２の画面にＣＳ２ｃｈが選局されている場合において、チャンネルダウン操作が行われた場合、第１の画面の選局をＢＳ１ｃｈに切り替え、第２の画面の選局をＣＳ１ｃｈに切り替えるといった具合である。
【０１６５】
（表示制御処理の具体例）
次に、図１０を参照して、テレビジョン受像機１００による表示制御処理の具体例について説明する。図１０は、実施形態３に係るテレビジョン受像機１００による表示制御処理の具体例を示す図である。
【０１６６】
本実施形態のテレビジョン受像機１００は、図１０に示すように、表示対象とする放送種別を画面毎に異ならせて、２画面表示することができる。そして、本実施形態のテレビジョン受像機１００は、このようにディスプレイ２１０の画面表示が２画面表示となっている状態で、選局操作が行われた場合、図１０に示すような２画面表示の制御を行うことができる。このような２画面表示の制御は、例えば、図３に示した表示制御部２２０によって実現される。
【０１６７】
図１０（ａ）〜（ｄ）のそれぞれは、本実施形態のテレビジョン受像機１００による２画面表示の一例を示している。
【０１６８】
図１０（ａ）〜（ｄ）では、いずれも、画面１００２と画面１００４とが横方向に並べて２画面表示されており、特に、画面１００２（第１の画面）はディスプレイ２１０の表示領域の左側に設けられており、画面１００４（第２の画面）はディスプレイ２１０の表示領域の右側に設けられている。画面１００２には、２つのチューナユニット２００のうちの一方のチューナユニット２００によって選局されたチャンネルが表示され、画面１００４には、他方のチューナユニット２００によって選局されたチャンネルが表示される。
【０１６９】
既に説明したとおり、本実施形態のテレビジョン受像機１００は、２画面表示されているときに選局操作が行われると、２つの画面の各々のチャンネルを切り替えることができる。
【０１７０】
特に、本実施形態のテレビジョン受像機１００は、１回の選局操作によって、２つの画面の各々のチャンネルを切り替えることにより、一方の画面については、現在この画面において選局されているチャンネルと放送種別が同じである他のチャンネルに切り替え、他方の画面についても、現在この画面において選局されているチャンネルと放送種別が同じである他のチャンネルに切り替えることができる。
【０１７１】
このとき、テレビジョン受像機１００は、上記他のチャンネルの各々を、記憶部３０６に記憶されているチャンネル設定に従って決定することができる。
【０１７２】
例えば、図１０（ａ）では、画面１００２では、ＢＳデジタル放送のチャンネルであるＢＳ１ｃｈが選局されており、画面１００４では、ＣＳデジタル放送のチャンネルであるＣＳ１ｃｈが選局されている。この図１０（ａ）の状態から、チャンネルアップ操作が行われると、図４に示したチャンネル設定に従い、画面１００２はＢＳデジタル放送のチャンネルであるＢＳ２ｃｈに切り替わり、画面１００４はＣＳデジタル放送のチャンネルであるＣＳ２ｃｈに切り替わる。これにより、ディスプレイ２１０の表示は、図１０（ｂ）に示す状態となる。
【０１７３】
反対に、図１０（ｂ）の状態から、チャンネルダウン操作が行われると、図４に示したチャンネル設定に従い、画面１００２はＢＳ１ｃｈに切り替わり、画面１００４はＣＳ１ｃｈに切り替わる。これにより、ディスプレイ２１０の表示は、図１０（ａ）に示す状態となる。
【０１７４】
テレビジョン受像機１００は、選局操作が繰り返し行われると、その都度、上記したように２つの画面の各々のチャンネルを切り替えることができる。
【０１７５】
このように、本実施形態のテレビジョン受像機１００によれば、視聴者は、このような２画面表示により、複数の番組を同時に視聴することができるので、これから視聴する番組の検討を効率的に行うことができる。また、視聴者は、１回の選局操作により、２つの画面のチャンネルの各々を同時に切り替えることができるので、これから視聴する番組の検討を少ない操作で効率的に行うことができる。
【０１７６】
特に、本実施形態のテレビジョン受像機１００によれば、１回の選局操作により、複数の放送種別の各々のチャンネルを同時に切り替えることができるので、複数の放送種別に亘る複数のチャンネルの中から、これから視聴する番組の検討を少ない操作で効率的に行うことができる。
【０１７７】
なお、図１０では、ＢＳデジタル放送とＣＳデジタル放送との組み合わせによる２画面表示の一例を示したが、もちろん、テレビジョン受像機１００は、他の放送種別の組み合わせ（地上デジタル放送とＢＳデジタル放送との組み合わせ、地上デジタル放送とＣＳデジタル放送との組み合わせ等）であっても、同様に２画面表示することができる。
【０１７８】
（２画面表示の変形例）
図１１〜１３は、各実施形態に係るテレビジョン受像機１００による複数画面表示の変形例を示す図である。
【０１７９】
各実施形態では、ディスプレイ２１０の表示領域には、選局されているチャンネルの画面のみ（すなわち、２画面のみ）を表示し、選局されていないチャンネルの画面を表示しない例を説明した。
【０１８０】
ここで、各実施形態のテレビジョン受像機１００において、選局されているチャンネルの画面に加え、選局されていない一部または全部のチャンネルの画面を表示してもよい。
【０１８１】
これにより、例えば、視聴者は、複数のチャンネルとしてどのようなものが存在するのか、複数のチャンネルのうちのいずれが選局されているのか、次に選局されるのはどのチャンネルか等、選局されている／いないチャンネルの内容や順序関係を容易に把握できるようになり、視聴する番組の検討を少ない手間で効率的に行うことができるようになる。
【０１８２】
例えば、図１１に示すように、複数の画面を選局される順番に並べてディスプレイ２１０に表示し、選局操作が行われると、選局されたチャンネルの画面をカーソル等で指し示したり、選局されたチャンネルの画面が所定の位置に位置したりするように、カーソル等を移動させたり、複数の画面を移動させたり、複数の画面の並べ替えを行ったりしてもよい。
【０１８３】
この場合、図１１に示すように、ディスプレイ２１０の表示領域内に環状の軌道を定義し、複数の画面をこの軌道上に並べて表示してもよい。これに応じて、コントロールホイール等の回転操作によって、選局操作を行うことができるようにしてもよい。これにより、視聴者は、選局操作を直感的に行うことできる。
【０１８４】
また、図１２に示すように、複数の画面を選局される順番に重ねて表示ディスプレイ２１０に表示し、選局操作が行われると、選局されたチャンネルの画面が最前面に位置するように、複数の画面を移動させたり、並べ替えを行ったりしてもよい。
【０１８５】
また、複数の画面を表示する場合、選局されたチャンネルの画面のサイズを拡大したり、選局されていないチャンネルの画面の輝度や色度を相対的に低めたりすることにより、選局されたチャンネルの画面が強調されるような画像処理を施すようにしてもよい。
【０１８６】
また、画面毎に放送種別を異ならせる場合（実施形態３の場合）、図１３に示すように、放送種別毎に、複数の画面を選局される順番に並べてディスプレイ２１０に表示し、選局操作が行われると、選局されたチャンネルの画面をカーソル等で指し示したり、選局されたチャンネルの画面が所定の位置に位置したりするように、カーソル等を移動させたり、複数の画面を移動させたり、複数の画面の並べ替えを行ったりしてもよい。
【０１８７】
この場合、図１３に示すように、放送種別毎に、環状の軌道を定義し、複数の画面をこの軌道上に並べて表示してもよい。
【０１８８】
（プログラム、記憶媒体）
実施形態で説明したテレビジョン受像機１００の各機能は、集積回路（ＩＣチップ）上に形成された論理回路によってハードウェア的に実現してもよいし、ＣＰＵ（Central Processing Unit）を用いてソフトウェア的に実現してもよい。
【０１８９】
例えば、テレビジョン受像機１００は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、テレビジョン受像機１００の各機能を実現することができる。
【０１９０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０１９１】
なお、上記プログラムは、通信ネットワークを介してテレビジョン受像機１００に供給されてもよい。この通信ネットワークは、少なくとも上記プログラムをテレビジョン受像機１００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１９２】
また、上記プログラムをテレビジョン受像機１００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１９３】
（補足事項）
本発明は上述した各実施形態に限定されるものではなく、請求項に示した範囲で種々の変更が可能であり、また、異なる実施形態にそれぞれ開示された技術的手段を適宜組み合わせて得られる実施形態についても本発明の技術的範囲に含まれる。
【０１９４】
（本発明の適用対象）
実施形態では、モニタとチューナとが一体化されているテレビジョン受像機に本発明を適用した例を説明しているが、本発明は、モニタとチューナとが別体となっているテレビジョン受像機にも適用することができる。
【０１９５】
また、実施形態では、本発明をテレビジョン受像機に適用した例を説明したが、少なくともチューナ機能を備えているものであれば、これ以外の装置にも、本発明を適用することができる。例えば、チューナ機能を備えたチューナ装置単体、レコーダ、パーソナルコンピュータ、スマートフォン、携帯電話機、ＰＤＡ、カーナビゲーション装置等にも、本発明を適用することができる。
【０１９６】
（複数画面表示の表示形態）
各実施形態で説明した２画面表示は、複数画面表示の単なる一例であり、本発明を適用するにあたり、複数画面表示の表示形態はどのようなものであってもよい。
【０１９７】
例えば、実施形態では、複数画面表示の一例として２画面表示を採用したが、３画面以上の画面を含む複数画面表示を採用してもよい。
【０１９８】
また、各実施形態では、２つの画面を横方向に並べて表示しているが、それ以外の方向に並べて表示したり、２つの画面を重ねて表示したりする等、２画面表示のレイアウトはどのようなものであってもよい。
【０１９９】
（チャンネル群）
実施形態３では、本発明に係るチャンネル群の一例として、ＢＳデジタル放送（第１の放送種別）およびＣＳデジタル放送（第２の放送種別）を用いたが、チャンネル群としては、これ以外の放送種別（例えば、地上デジタル、ＣＡＴＶ、各種契約放送）を用いてもよい。
【０２００】
また、チャンネル群としては、放送種別を単位とするものに限らず、少なくとも複数のチャンネルがグループ化されているものであれば、どのようなものであってもよい。
【０２０１】
例えば、ユーザが設定したお気に入りのチャンネルのグループや、テレビジョン受像機１００等によって自動的に設定されたお勧めチャンネルのグループ、視聴可能な有料チャンネルのグループ等を、チャンネル群として用いることもできる。
【０２０２】
また、１つのチャンネル群に、放送種別が異なる複数のチャンネルが含まれていてもよい。また、２つのチャンネル群に含まれる複数のチャンネルが互いに異なるものであれば、２つのチャンネル群の放送種別が同じであってもよい。
【０２０３】
（アニメーション動作）
各実施形態において、チャンネルの切り替えは、画面のアニメーション動作が伴うものであってもよい。例えば、チャンネル切り替え操作が行われた場合、切り替え前のチャンネルの画面をある方向へワイプアウトさせつつ、切り替え後のチャンネルの画面を反対方向からワイプインさせてもよい。
【０２０４】
（１画面表示への切り替え）
各実施形態において、視聴者は、２画面表示により、複数のチャンネルの番組を同時に視聴し続けることもできるが、任意のチャンネルの１画面表示に切り替えて、そのチャンネルの番組を視聴することもできる。
【０２０５】
例えば、テレビジョン受像機１００は、２画面表示されている状態から、ユーザによってリモコン１０４等の任意のチャンネルボタンが押下された場合、そのチャンネルボタンに対応付けられているチャンネルが選局された状態の１画面表示に切り替えることができる。
【０２０６】
また、テレビジョン受像機１００は、２画面のうちのいずれか一方の画面が対象の画面として選択されている状態において、または、２画面のうちのいずれか一方の画面が対象の画面として適用されることが予め規定されている場合において、ユーザによるリモコン１０４等の操作によって、１画面表示に切り替えるための操作が行われた場合、または、選局操作が行われなくなってから予め定められた時間が経過した場合、その対象の画面の１画面表示に切り替えることができる。
【０２０７】
（１画面毎の選局操作）
また、視聴者は、実施形態で説明したとおり、２つの画面の各々のチャンネルを同時に切り替えることができるが、いずれか一方の画面のチャンネルのみを切り替えることもできる。
【０２０８】
例えば、テレビジョン受像機１００は、２画面のうちのいずれか一方の画面が対象の画面として選択されている状態において、または、２画面のうちのいずれか一方の画面が対象の画面として適用されることが予め規定されている場合において、ユーザによって選局操作が行われた場合、その対象の画面のチャンネルを、選局操作に応じて切り替えることができる。
【０２０９】
（選局順序）
各実施形態では、テレビジョン受像機１００は、チャンネルの選局順序に従って２つのチャンネルを選局しているが、これに限らない。例えば、テレビジョン受像機１００は、ランダムな順序で２つのチャンネルを選局するようにしてもよい。
【産業上の利用可能性】
【０２１０】
本発明は、チューナ機能を備えたテレビジョン受像機、チューナ装置、携帯電話機、スマートフォン、ＰＤＡ、パーソナルコンピュータ等の各種機器に適用することができる。
【符号の説明】
【０２１１】
１００  テレビジョン受像機（表示制御装置）
１０２  本体
１０４  リモコン
１１０  外部アンテナ
２００  チューナユニット
２０８  ディスプレイ駆動回路
２１０  ディスプレイ（表示手段）
２５２  操作ボタン
２５４  リモコン受光部
２２０  表示制御部
３０２  選局操作受付部
３０４  選局部
３０６  記憶部（記憶手段）
３１４  表示画面生成部
３２０  選局制御部（選局制御手段）
３３０  表示切替部（表示切替手段）
【図１】
2013115767.tif 000003
【図２】
2013115767.tif 000004
【図３】
2013115767.tif 000005
【図４】
2013115767.tif 000006
【図５】
2013115767.tif 000007
【図６】
2013115767.tif 000008
【図７】
2013115767.tif 000009
【図８】
2013115767.tif 000010
【図９】
2013115767.tif 000011
【図１０】
2013115767.tif 000012
【図１１】
2013115767.tif 000013
【図１２】
2013115767.tif 000014
【図１３】
2013115767.tif 000015